(57)【要約】【課題】本発明は、ケーブルの配線位置を自由に調整することができるとともに、その調整位置を確実に保持できるケーブル位置調整部材を提供することを目的とする。【解決手段】ケーブル位置調整部材１は、任意の形に変形されてその状態を保持する棒状の調整体２と、調整体２の一端側に設けられて、その一端部を他の部材に取り付ける第１取付手段３と、調整体２の他端側に設けられて、その他端部を位置を調整するケーブルに取り付ける第２取付手段とを備え、該ケーブルの配線位置を自由に調整する。【選択図】図１
2008141885.tif 000002
【特許請求の範囲】
【請求項１】
ケーブルの配線位置を調整するケーブル位置調整部材であって、
任意の形に変形されてその状態を保持する棒状の調整体と、
前記調整体の一端側に設けられて、その一端部を他の部材に取り付ける第１取付手段と、
前記調整体の他端側に設けられて、その他端部を前記ケーブルに取り付ける第２取付手段と
を備えることを特徴とするケーブル位置調整部材。
【請求項２】
請求項１記載のケーブル位置調整部材において、
前記調整体は、可撓性を有する金属棒を絶縁性材料で被覆したものであることを特徴とするケーブル位置調整部材。
【請求項３】
請求項１又は２記載のケーブル位置調整部材において、
前記第１取付手段は、Ｕ字形の取付部本体と、該取付部本体の内方で前記他の部材を挟持する挟持部と、該挟持部と連結されて該挟持部を操作する操作部とを備えることを特徴とするケーブル位置調整部材。
【請求項４】
請求項１乃至３のいずれか１項記載のケーブル位置調整部材において、
前記第２取付手段は、前記ケーブルを挟持する挟持手段であることを特徴とするケーブル位置調整部材。
【請求項５】
請求項４記載のケーブル位置調整部材において、
前記挟持手段は、前記調整体の他端側から複数の方向に分岐して、各分岐の先端が複数の前記ケーブルの各々を挟持することを特徴とするケーブル位置調整部材。
【発明の詳細な説明】
【技術分野】
【０００１】
本発明は、例えば、電柱等に支持されたケーブル等の配線位置を調整する配線位置調整部材に関する。
【背景技術】
【０００２】
送電線から建造物に電力を供給する引込線等のケーブルは、最寄の電柱や引込柱に適度な弛みを持って支持されている。かかるケーブルは、最寄の電柱等の本数によっては多数のケーブルが一つの電柱等に集中して支持される場合があり、このような場合には、ケーブル同士が近接する。そして、強風や大型鳥類の飛来などによってケーブルの形状が変化すると、ケーブル同士が接触し、その摩擦によってケーブルの被覆が摩耗する虞がある。
【０００３】
このようなケーブル同士の接触を回避するものとして、各ケーブル及び各ケーブルの接続部分同士を離間するスペーサをケーブルに取り付けてなるものが知られている（例えば、特許文献１参照）。
【特許文献１】特開２００４−１８７４４７号公報
【発明の開示】
【発明が解決しようとする課題】
【０００４】
しかしながら、引込線等のように一定の弛みをもって支持されているケーブルにスペーサを取り付けた場合には、スペーサ及びスペーサに取り付けられている複数のケーブルごと、いずれかの方向及び角度に移動してしまい、結果として、スペーサから離れたところでケーブル同士が接触してしまうことが起こり得る。
【０００５】
そこで、本発明は、ケーブルの配線位置を自由に調整することができるとともに、その調整位置を確実に保持できるケーブル位置調整部材を提供することを目的とする。
【課題を解決するための手段】
【０００６】
本発明は、ケーブルの配線位置を調整するケーブル位置調整部材であって、任意の形に変形されてその状態を保持する棒状の調整体と、前記調整体の一端側に設けられて、その一端部を他の部材に取り付ける第１取付手段と、前記調整体の他端側に設けられて、その他端部を前記ケーブルに取り付ける第２取付手段とを備えることを特徴とする。
【０００７】
本発明のケーブル位置調整部材によれば、形状が任意に変形して保持される調整体の一端側が第１取付手段によって他の部材に取り付けられ、他端側が第２取付部材によって位置を調整するケーブルに取り付けられる。そのため、調整体の形状を変形させることで、ケーブルの配線位置を自由に調整することができる。また、調整体の他端側が他の部材に取り付けられているため、調整体の位置がケーブルとともに変位することがなく、その調整位置が確実に保持される。
【０００８】
前記調整体は、可撓性を有する金属棒を絶縁性材料で被覆したものであることが好ましい。これにより、任意の形に変形されてその状態を保持する調整体の構成を簡易に実現することができる。
【０００９】
前記第１取付手段は、Ｕ字形の取付部本体と、該取付部本体の内方で前記他の部材を挟持する挟持部と、該挟持部と連結されて該挟持部を操作する操作部とを備えることが好ましい。これにより、操作部を操作して、他の部材を取付部本体の内方に挟持することができ、調整部を他の部材に確実に取り付けることができる。
【００１０】
前記第２取付手段は、前記ケーブルを挟持する挟持手段であることが望ましい。これにより、調整体を他の部材に取り付ける第２取付手段の構成を簡易に実現することできる。
【００１１】
前記挟持手段は、前記調整体の他端側から複数の方向に分岐して、各分岐の先端が複数の前記ケーブルの各々を挟持することが好ましい。これにより、調整体の他端側で複数のケーブルを所定の間隔を隔てて挟持することができ、スペーサとしての機能も兼ねることができる。
【発明を実施するための最良の形態】
【００１２】
図１に示すように、本実施形態のケーブル位置調整部材１は、ケーブルに取り付けてその位置を調整する部材であって、調整体２と、調整体２の一端側を他の部材に取り付ける第１取付手段３と、調整体２の他端側をケーブルに取り付ける第２取付手段４とを備える。
【００１３】
調整体２は、複数の関節部を有して、所定の応力で変形してその形状が保持される蛇腹状の金属棒（図示省略）と、金属棒の周りを被覆するゴム製のコーティング材から成り、コーティング材によって金属棒は露出する部分なく覆われている。
【００１４】
第１取付手段３は、調整体２の一端側に取り付けられて、その一端部を他の部材に取り付けるための部材であって、耐腐食性、耐侵食性及び絶縁性を有する合成樹脂又はセラミック材料等により構成されている。具体的に、第１取付手段３は、Ｕ字形の取付部本体３１と、取付部本体３１の内方で他の部材を挟持する挟持部３２と、挟持部３２と連結された操作部としてのハンドル３３とを備える。
【００１５】
挟持部３２は、取付部本体３１の内方に設けられた板体であって、取付部本体３１の一端側に形成された対向挟持部３４との間に他の部材を挟持する。挟持部３２と対向挟持部３４の相対向する位置には、挟持した他の部材が離脱することを防ぐ凹凸が形成されている。
【００１６】
挟持部３２の他端側には、外周にネジ溝を有する連結棒３５が連結されている。連結棒３５は取付部本体３１の他端側に形成されたネジ穴を３６に通され、他端側がハンドル３３に連結されている。このような構成により、ハンドル３３を回転させると、ネジ穴３６に対する連結棒３５のネジ溝の位置が変位して連結棒３５が進退し、挟持部３２が挟持位置又は開放位置に変位する。
【００１７】
第２取付手段４は、調整体２の他端側に設けられて、その他端部をケーブルに取り付ける部材であって、第１取付手段３と同様、耐腐食性、耐侵食性及び絶縁性を有する合成樹脂又はセラミック材料等により構成されている。具体的に、第２取付手段４は、調整体２の端部に連結されたジョイント部４１と、ジョイント部４１に着脱自在に装着される挟持手段としてのアーム部４２とを備える。
【００１８】
ジョイント部４１は、箱型の形状であって、一面が調整体２に回転自在に連結されるとともに、調整体２の連結面に対向する面及びその隣接面には、ネジ穴４３が設けられている。ネジ穴４３には、ネジ穴４３にねじ止め可能なネジ溝（図示略）が一端に形成された、アーム部４２のベース部４４が着脱自在に装着されるようになっている。
【００１９】
アーム部４２は、ジョイント部４１に装着されるベース部４４と一体に形成されたＣ型の部材で、その内径が取り付けられるケーブルの外径とほぼ等しくなっている。また、アーム部４２の一部を切欠いた部分には、ストッパー４５が設けられており、ストッパー４５は、アーム部４２のベース部４４側の位置に軸着されて、その内部構造により内径を越える外方への動きが規制されるようになっている。
【００２０】
次に、上記ケーブル位置調整部材１の使用方法について説明する。
【００２１】
図２に示すように、ケーブル位置調整部材１は、例えば、送電線から建造物に電力を供給する引込線（ＤＶ線とも言う）等のケーブルＸに取り付けられて、ケーブルＸの配線位置を調整することに用いられる。
【００２２】
具体的に、ケーブル位置調整部材１によるケーブルＸの配線位置の調整をする場合、当該調整を行う作業者は、まず、ケーブルＸを支持するために電柱Ｚに取り付けられた他の部材としての碍子（例えば、エンドレス碍子やＤＶ碍子）Ｙに、ケーブル位置調整部材１の第１取付手段３を取り付ける。
【００２３】
第１取付手段３の碍子Ｙへの取り付けは、ハンドル３３を回転させて挟持部３２を対向挟持部３４に対して離間させ、挟持部３２と対向挟持部３４の間に碍子Ｙを挟み、ハンドル３３を逆回転させて、挟持部３２で碍子Ｙを挟持させる。
【００２４】
次に、碍子Ｙの引留部Ｙ１に巻き付けたケーブルＸの配線位置を決めて、その配線位置に合わせて調整体２を変形させる。具体的には、第２取付手段４をケーブルＸ側に変形させて、その配線位置を保持できるところに到達させる。
【００２５】
そして、調整体２に対してジョイント部４１を回転させてその連結角度を調整した上で、各アーム部４２に各ケーブルＸを挟持させる。具体的には、第２取付手段４のストッパー４５の部分からケーブルＸをアーム部４２の内方に押し込む。アーム部４２にケーブルＸが完全に押し込まれて挟持されると、ストッパー４５がアーム部４２側に戻って、その外方への動きが規制される。これにより、第２取付手段４をケーブルＸに確実に挟持することができる。
【００２６】
ここで、ケーブルＸを挟持するアーム部４２は、ベース部４４を介してジョイント部４１にねじ止めされているため、ケーブルＸの径の大きさに合ったアーム部４２を選択して用いることができ、ケーブル位置調整部材１を太さが異なる種々のケーブルに対して用いることができる。
【００２７】
最後に、再度、調整体２を変形させてアーム部４２に挟持された各ケーブルＸの配線位置を調整し、各ケーブルＸが他のケーブル等と近接又は接触することがないようにする。
【００２８】
このように、本実施形態のケーブル位置調整部材１によれば、ケーブルＸの形状を任意に変形させて、ケーブルＸの配線位置を自由に調整することができるとともに、各アーム部４２に挟持されたケーブルＸは、所定の方向に離間される。
【００２９】
また、ケーブル位置調整部材１は、調整体２の一端側が他の部材に固定されているため、その位置が挟持したケーブルＸとともに変位してしまうことがなく、調整したケーブルの配線位置を確実に保持することができる。
【００３０】
尚、本実施形態において、ケーブル位置調整部材１は、引込線であるケーブルＸを中空で支持するエンドレス碍子やＤＶ碍子に取り付ける場合について説明したが、これに限定されるものではなく、図３に示すように、例えば、建造物の屋根部等に取り付けてもよい。この場合、第１取付手段３を建造物の屋根部に取り付けて、第２取付手段４にケーブルＸを取り付けることにより、ケーブルＸを建造物から離間させることができるとともに、複数のケーブルＸ同士が接触することを回避することができる。
【００３１】
さらに、本実施形態において、ケーブルＸには、電線や光ファイバー等の被覆体の他、電子機器等の内部に設けられたリード線等が含まれる。例えば、ケーブルＸがリード線の場合には、電子機器等の内部に加熱位置を迂回するようにリード線の配線位置を調整することにも用いることができる。
【図面の簡単な説明】
【００３２】
【図１】実施形態のケーブル位置調整部材の外観を示す斜視図。
【図２】実施形態のケーブル位置調整部材の使用状態を示す図。
【図３】実施形態のケーブル位置調整部材の他の使用状態を示す図。
【符号の説明】
【００３３】
１…ケーブル位置調整部材、２…調整体、３…第１取付手段、４…第２取付手段、３１…取付部本体、３２…挟持部、３３…ハンドル、４２…アーム部（挟持手段）。
【図１】
2008141885.tif 000003
【図２】
2008141885.tif 000004
【図３】
2008141885.tif 000005